(57)【要約】【課題】  種々の径の釘でも垂直に確実に保持して、正確に釘をガイドして打ち込むことができる波板釘打ち用補助治具を提供する。【解決手段】  本発明の波板釘打ち用補助治具は、トタン板等の波板に釘を打ち込むための波板釘打ち用補助治具であって、対向面を有する一対の治具半部、該一対の治具半部の両者の底面に設けられ、これら一対の治具半部が前記波板の山部に丁度跨がるようにするための、前記山部の形状に対応した形状の凹部、該一対の治具半部の両者の背面に亘って延び、両者を連結するとともに、両者が互いに閉位置と該閉位置から所定角度開いた開位置との間で回動できるようにする連結手段、および前記一対の治具半部が前記閉位置にあるとき、釘を保持・ガイドするための水平断面が円形のガイド貫通孔を形成する、前記一対の治具半部の両者の対向面に形成された貫通孔半部を備えていることを特徴とする。【選択図】  図１
2018017113.tif 000002
【特許請求の範囲】
【請求項１】
トタン板等の波板に釘を打ち込むための波板釘打ち用補助治具であって、対向面を有する一対の治具半部、該一対の治具半部の両者の底面に設けられ、これら一対の治具半部が前記波板の山部に丁度跨がるようにするための、前記山部の形状に対応した形状の凹部、該一対の治具半部の両者の背面に亘って延び、両者を連結するとともに、両者が互いに閉位置と該閉位置から所定角度開いた開位置との間で回動できるようにする連結手段、および前記一対の治具半部が前記閉位置にあるとき、釘を保持・ガイドするための水平断面が円形のガイド貫通孔を形成する、前記一対の治具半部の両者の対向面に形成された貫通孔半部を備える波板釘打ち用補助治具。
【請求項２】
前記連結手段が蝶番である請求項１の波板釘打ち用補助治具。
【請求項３】
前記連結手段が、一方の治具半部に設けられた円筒状部と、他方の治具半部に形成され、前記一方の治具半部の円筒状部が回転自在に嵌合する断面円形の嵌合孔を備えている請求項１の波板釘打ち用補助治具。
【請求項４】
前記一対の治具半部を前記開位置に付勢する付勢手段が更に設けられた請求項１〜３のいずれかの波板釘打ち用補助治具。
【請求項５】
前記付勢手段がバネである請求項４の波板釘打ち用補助治具。
【請求項６】
前記バネがコイルバネであって、このコイルバネは、前記一対の治具半部のそれぞれの対向面から外側に向かって所定長延びる一対のコイルバネ収容孔半部で構成されたコイルバネ収容孔に収容されて、前記一対の治具半部を前記開位置に向かって付勢するものである請求項５の波板釘打ち用補助治具。
【請求項７】
前記一対の治具半部の両者の少なくとも一方が弾性プラスチックで形成され、前記付勢手段が、該一方の治具半部の前記対向面に溝が設けられて形成された舌片と、該舌片の自由端部に設けられ、頂部が他方の治具半部の対向面に当接する突出部とから形成され、該付勢手段は、通常状態において、前記突起部が前記他方の治具半部の対向面に当接して、前記開状態に付勢している請求項４の波板釘打ち用補助治具。
【請求項８】
前記一対の治具半部が前記開位置以上には開かないようにするストッパ手段が更に設けられた請求項４〜７のいずれかの波板釘打ち用補助治具。
【請求項９】
前記ストッパ手段は、前記一対のコイルバネ収容孔半部より小さな直径を持ち、その外端からそれぞれ前記一対の治具半部の外側に向かって所定長延びる一対のストッパバー収用孔半部、および一端が一方のストッパバー収用孔半部に収容されて固定され、他端が他方のストッパバー収用孔半部に遊嵌されたストッパバーを備え、遊嵌された側のストッパバーの他端の直径は、それを収容するストッパバー収用孔半部の直径より所定の値で相対的に小さくなっており、この所定の値により、前記一対の治具半部は前記閉位置から前記開位置まで回動でき、そこで停止するようになっている請求項８の波板釘打ち用補助治具。
【請求項１０】
前記ストッパ手段は、前記一対の治具半部が所定開度開いたときに当接する、該前記一対の治具半部の後部によって形成されている請求項７の波板釘打ち用補助治具。
【請求項１１】
前記連結手段が略「へ」の字形をした板バネであり、この板バネが前記一対の治具半部を前記開位置に付勢する付勢手段および前記一対の治具半部が前記開位置以上には開かないようにするストッパ手段も兼ねる請求項１の波板釘打ち用補助治具。
【請求項１２】
請求項１〜１１のいずれかの波板釘打ち用補助治具を複数個所定間隔をおいて連結し、複数本の釘を保持・ガイドできるようにした波板釘打ち用補助治具。
【発明の詳細な説明】
【技術分野】
【０００１】
本発明は、波板釘打ち用補助治具に関し、更に詳細には、トタン板等の波板に釘を打ち込む際に用いられる波板釘打ち用補助治具に関する。
【背景技術】
【０００２】
例えば、工場や倉庫等では建屋の屋根を金属製波板や合成樹脂製波板で葺くことがある。この波板は山部と谷部とを繰り返し連続させた形状をなし、波板の山頂にタッピング釘、ねじ釘、打込み釘等の釘をねじ込みあるいは打込んで建屋の梁等に固定するのが一般的である。
【０００３】
しかし、波板の山頂に釘をねじ込みあるいは打込む際に釘の先が滑って安定せず、釘を上手くねじ込みあるいは打込むことが難しく、波板を固定する作業に時間がかかる。
【０００４】
そこで、波板の山頂を跨いで２つの谷底に嵌まり込み波板山頂の上方の部位にドリル刃のガイド穴を形成したガイド板を用い、波板の山頂に下穴を形成し、下穴を利用して釘をねじ込みあるいは打込むようにした方法が提案されている（特許文献１）。
【０００５】
しかし、上述のように波板に下穴を形成した後に釘をねじ込みあるいは打込むようにすると、波板を梁等に固定する場合には多数の釘を必要とするので、作業が非常に煩雑である。
【０００６】
かかる問題点に鑑み、特許文献２では、下穴を形成することなく、釘を波板に正確かつ迅速にねじ込みあるいは打込むことのできるようにした波板固定用釘ガイドが提案された
【０００７】
特許文献２で提案された波板固定用釘ガイドは、山部と谷部とを繰り返し連続させた波板における山頂に釘をねじ込み又は打込む際に用いるガイドであって、ガイド本体は波板の谷底に嵌まり込む高さの左右の脚部を中央の連結片部で連結した形状をなし、上記連結片部の波板の山頂に対応する位置には釘を差し込むことのできるガイド溝が形成され、該ガイド溝の一端は上記連結片部の端縁に開放されており、上記ガイド本体を後退させることにより先端を波板の山頂にねじ込み又は打込んだ釘が上記ガイド溝の開放端から抜き出し可能となっていることを特徴とする。
【０００８】
この波板固定用釘ガイドの特徴の１つはガイド本体の中央の連結片部にガイド溝を形成し、ガイド溝の一端をガイド本体の端縁に開放させるようにした点にある。
【０００９】
これにより、ガイド本体を波板にかぶせて左右の脚部を波板の２つの谷底に嵌まり込ませ、ガイド溝に釘を差し込み、釘の先端を波板の山頂にねじ込みあるいは打込んだ後、ガイド本体を後方にスライドさせると、釘がガイド溝の開放端から抜けて釘だけが波板の山頂に突き刺さった状態で残るので、後は釘の全体を波板の山頂にねじ込みあるいは打込むようにすればよい。
【００１０】
従って、波板の山頂に下穴がなくても釘先が滑ることはなく、釘を波板の山頂に直接に、しかも正確かつ迅速にねじ込みあるいは打込むことができるので、波板固定の作業効率を大幅にアップすることができる。
【先行技術文献】
【特許文献】
【００１１】
【特許文献１】実開平０４−８４６３１号公報
【特許文献２】登録実用新案第３１０８７０３号公報
【発明の概要】
【発明が解決しようとする課題】
【００１２】
しかしながら、前記波板固定用釘ガイドにおいては、ガイド溝の径あるいは幅が一定なので釘の径が小さい場合、釘がガイド溝内で遊んで、垂直にならず、上手く打ち込めないという問題がある。
【００１３】
そこで、本発明は、種々の径の釘でも垂直に確実に保持して、正確に釘をガイドして打ち込むことができる波板釘打ち用補助治具を提供することを目的とする。
【課題を解決するための手段】
【００１４】
前記課題は、下記（１）〜（１２）の構成の本発明の波板釘打ち用補助治具により解決される。
（１）
トタン板等の波板に釘を打ち込むための波板釘打ち用補助治具であって、対向面を有する一対の治具半部、該一対の治具半部の両者の底面に設けられ、これら一対の治具半部が前記波板の山部に丁度跨がるようにするための、前記山部の形状に対応した形状の凹部、該一対の治具半部の両者の背面に亘って延び、両者を連結するとともに、両者が互いに閉位置と該閉位置から所定角度開いた開位置との間で回動できるようにする連結手段、および前記一対の治具半部が前記閉位置にあるとき、釘を保持・ガイドするための水平断面が円形のガイド貫通孔を形成する、前記一対の治具半部の両者の対向面に形成された貫通孔半部を備える波板釘打ち用補助治具。
（２）
前記連結手段が蝶番である前記（１）の波板釘打ち用補助治具。
（３）
前記連結手段が、一方の治具半部に設けられた円筒状部と、他方の治具半部に形成され、前記一方の治具半部の円筒状部が回転自在に嵌合する断面円形の嵌合孔を備えている前記（１）の波板釘打ち用補助治具。
（４）
前記一対の治具半部を前記開位置に付勢する付勢手段が更に設けられた前記（１）〜（３）のいずれかの波板釘打ち用補助治具。
（５）
前記付勢手段がバネである前記（４）の波板釘打ち用補助治具。
（６）
前記バネがコイルバネであって、このコイルバネは、前記一対の治具半部のそれぞれの対向面から外側に向かって所定長延びる一対のコイルバネ収容孔半部で構成されたコイルバネ収容孔に収容されて、前記一対の治具半部を前記開位置に向かって付勢するものである前記（５）の波板釘打ち用補助治具。
（７）
前記一対の治具半部の両者の少なくとも一方が弾性プラスチックで形成され、前記付勢手段が、該一方の治具半部の前記対向面に溝が設けられて形成された舌片と、該舌片の自由端部に設けられ、頂部が他方の治具半部の対向面に当接する突出部とから形成され、該付勢手段は、通常状態において、前記突起部が前記他方の治具半部の対向面に当接して、前記開状態に付勢している前記（４）の波板釘打ち用補助治具。
（８）
前記一対の治具半部が前記開位置以上には開かないようにするストッパ手段が更に設けられた前記（４）〜（７）のいずれかの波板釘打ち用補助治具。
（９）
前記ストッパ手段は、前記一対のコイルバネ収容孔半部より小さな直径を持ち、その外端からそれぞれ前記一対の治具半部の外側に向かって所定長延びる一対のストッパバー収用孔半部、および一端が一方のストッパバー収用孔半部に収容されて固定され、他端が他方のストッパバー収用孔半部に遊嵌されたストッパバーを備え、遊嵌された側のストッパバーの他端の直径は、それを収容するストッパバー収用孔半部の直径より所定の値で相対的に小さくなっており、この所定の値により、前記一対の治具半部は前記閉位置から前記開位置まで回動でき、そこで停止するようになっている前記（８）の波板釘打ち用補助治具。
（１０）
前記ストッパ手段は、前記一対の治具半部が所定開度開いたときに当接する、該前記一対の治具半部の後部によって形成されている前記（７）の波板釘打ち用補助治具。
（１１）
前記連結手段が略「へ」の字形をした板バネであり、この板バネが前記一対の治具半部を前記開位置に付勢する付勢手段および前記一対の治具半部が前記開位置以上には開かないようにするストッパ手段も兼ねる前記（１）の波板釘打ち用補助治具。
（１２）
前記（１）〜（１１）のいずれかの波板釘打ち用補助治具を複数個所定間隔をおいて連結し、複数本の釘を保持・ガイドできるようにした波板釘打ち用補助治具。
【発明の効果】
【００１５】
本発明の波板釘打ち用補助治具においては、上記したように、前記一対の治具半部が共同して形成するガイド貫通孔により、釘を垂直な状態で挟み込み保持するので、釘を正確にガイドして打ち込むことができる。また、釘を２つの治具半部で挟み込むようになっているので、種々の径の釘に対応できる。
【図面の簡単な説明】
【００１６】
【図１】本発明の実施の形態による波板釘打ち用補助治具の平面図である。一対の治具半部を閉じて示した図である。
【図２】本発明の実施の形態による波板釘打ち用補助治具の平面図である。一対の治具半部を開いて示した図である。
【図３】図１に示した波板釘打ち用補助治具の左側面図である。
【図４】図１の波板釘打ち用補助治具を分解して示した図である。
【図５】図１に示した波板釘打ち用補助治具に釘をセットし、釘をセットした波板釘打ち用補助治具を波板に設置した状態を示す図である。
【図６】本発明の他の実施の形態による波板釘打ち用補助治具の平面図である。一対の治具半部を閉じて示した図である。
【図７】図６に示した波板釘打ち用補助治具の底面図である。
【図８】図６に示した波板釘打ち用補助治具を開いた状態で示した平面図である。
【図９】図８に示した波板釘打ち用補助治具の底面図である。
【図１０】図６の波板釘打ち用補助治具を分解して示した図である。
【図１１】図６に示した波板釘打ち用補助治具に釘をセットし、釘をセットした波板釘打ち用補助治具を波板に設置した状態を示す図である。
【発明を実施するための形態】
【００１７】
以下、添付図面を参照して、本発明の実施の形態による波板釘打ち用補助治具を説明する。
図１および図２は、本発明の実施の形態による波板釘打ち用補助治具の平面図であり、図１は、一対の治具半部を閉じた状態で示した図、図２は開いた状態で示した図である。
【００１８】
本波板釘打ち用補助治具１０は、トタン板等の波板に釘を打ち込むためのものであって、対向面１２ａおよび１４ａを有する一対の治具半部１２および１４、該一対の治具半部の両者の底面に設けられ、これら一対の治具半部が前記波板の山部に丁度跨がるようにするための、前記山部の形状に対応した形状の凹部１６および１８、該一対の治具半部の両者の背面に亘って延び、両者を連結するとともに、両者が互いに閉位置と該閉位置から所定角度開いた開位置との間で回動できるようにする連結手段２０、前記一対の治具半部を前記開位置に付勢する付勢手段２２、前記一対の治具半部が前記開位置以上には開かないようにするストッパ手段２４、および前記一対の治具半部が前記閉位置にあるとき、釘を保持・ガイドするための水平断面が円形のガイド貫通孔２６を形成する、前記一対の治具半部の両者の対向面に形成された貫通孔半部２８および３０を備えている。
【００１９】
前記連結手段２０は蝶番であることが好ましい。前記付勢手段２２はバネであることが好ましい。このバネとしては、図示したように、コイルバネを用いることができる。このコイルバネは、前記一対の治具半部１２、１４のそれぞれの対向面１２ａ、１４ａから外側に向かって所定長延びる一対のコイルバネ収容孔半部３２ａ、３２ｂで構成されたコイルバネ収容孔３２に収容されて、上述のように、前記一対の治具半部１２、１４を前記開位置に向かって付勢している。
【００２０】
前記ストッパ手段２４は、前記一対のコイルバネ収容孔半部より小さな直径を持ち、前記一対のコイルバネ収容孔半部３２ａ、３２ｂの外端からそれぞれ前記一対の治具半部１２、１４の外側に向かって所定長延びる一対のストッパバー収用孔半部３４、３６、および一端３８ａが一方のストッパバー収用孔半部３６に収容されて固定され、他端３８ｂが他方のストッパバー収用孔半部３４に遊嵌されたストッパバー３８を備えている。遊嵌された側のストッパバーの他端３８ｂの直径は、それを収容するストッパバー収用孔半部３４の直径より所定の値で相対的に小さくなっており、この所定の値により、前記一対の治具半部１２、１４は前記閉位置から前記開位置まで回動でき、そこで停止するようになっている。
【００２１】
前記連結手段２０は、図示していないが、略「へ」の字形をした板バネとしてもよい。この板バネが、前記付勢手段およびストッパ手段も兼ねることとなる。
また、以上説明したような波板釘打ち用補助治具１０を複数個所定間隔をおいて連結し、複数本の釘を保持・ガイドできるようにしてもよい。この場合は、治具半部を閉位置に固定するための何らかの手段を設けることが好ましい。
【００２２】
以上説明したような波板釘打ち用補助治具を利用して釘Ｎを波板Ｗの山部Ｗ１
に打ち込むには、治具半部１２、１４を図２示したように開位置とし、この状態で釘Ｎを貫通孔半部２８および３０に垂直にセットし、この状態で治具半部１２、１４を閉位置とし、その状態で、図５に示したように、波板１５上に設置し、釘Ｎを金槌等で打ち込む。釘Ｎをある程度の長さ打ち込んだところで、前記一対の治具半部１２、１４を開き、この状態で波板釘打ち用補助治具１０を釘から離し、釘の打ち込みを継続し、釘打ちを完了する。
【００２３】
次に、図６以降を参照して、本発明の他の実施の形態の波板釘打ち用補助治具について説明する。
この実施の形態による波板釘打ち用補助治具は、図１〜図５に示した波板釘打ち用補助治具の構造と、付勢手段および連結手段の点について異なり、他の部分については共通しているので、この異なる構造の点についてのみ説明する。
【００２４】
この実施の形態による連結手段は、一方の治具半部に設けられた円筒状部１００と、他方の治具半部に形成され、前記一方の治具半部の円筒状部が回転自在に嵌合する断面円形の嵌合孔１０２を備えている。前記円筒状部１００には、下側からワッシャー（図示せず）を介して、ネジ１０４がねじ込まれており、これにより、一対の治具半部がバラバラにならないようにしている。
【００２５】
前記付勢手段は、該一方の治具半部の前記対向面に溝（図示せず）が設けられて形成された舌片１１０と、該舌片の自由端部に設けられ、頂部が他方の治具半部の対向面に当接する突出部１１２とから形成され、該付勢手段は、通常状態において、前記突起部が前記他方の治具半部の対向面に当接して、前記開状態に付勢している。
【００２６】
前記ストッパ手段は、前記一対の治具半部が所定開度開いたときに当接する、該前記一対の治具半部の後部１２０、１２２によって形成されている。
【００２７】
本発明の波板釘打ち用補助治具においては、上記したように、前記一対の治具半部が共同して形成するガイド貫通孔により、釘を垂直な状態で挟み込み保持するので、釘を正確にガイドして打ち込むことができる。
【符号の説明】
【００２８】
１０  波板釘打ち用補助治具
１２  治具半部
１４  治具半部
１６  凹部
１８  凹部
２０  連結手段（蝶番）
２２  付勢手段
２４  ストッパ手段
２６  ガイド貫通孔
【図１】
2018017113.tif 000003
【図２】
2018017113.tif 000004
【図３】
2018017113.tif 000005
【図４】
2018017113.tif 000006
【図５】
2018017113.tif 000007
【図６】
2018017113.tif 000008
【図７】
2018017113.tif 000009
【図８】
2018017113.tif 000010
【図９】
2018017113.tif 000011
【図１０】
2018017113.tif 000012
【図１１】
2018017113.tif 000013